(57)【特許請求の範囲】
【請求項１】
治療工具が着脱可能に取り付けられるヘッド部を有する把持部と、前記把持部に連結される駆動部とを備え、前記把持部は、ケーシング後部とこのケーシング後部に対して斜めに連接されるケーシング前部とを有し、前記ケーシング後部内に第１の回転軸が回転可能に支持されるとともに、前記ケーシング前部内に前記ヘッド部から延びる筒形形状のジャケットが前記第１の回転軸に向けて挿着、固定され、このジャケット内に前記治療工具に作動連結された第２の回転軸が回転可能に支持されて、前記第１の回転軸に歯車を介して連結され、前記駆動部の駆動力を前記第１、第２の回転軸により前記ヘッド部に伝達し、前記治療工具を駆動する形式の歯科用ハンドピースにおいて、
前記ジャケットの周面に係止溝が形成され、
前記ケーシング後部内に前記ケーシング前部に向けて進退可能に設置され、前記ジャケットの係止溝に係脱可能な係止棒を備え、
前記ケーシング前部内に挿着された前記ジャケットは、前記ジャケット周面の係止溝と前記ケーシング後部内の係止棒との係合により、前記ケーシング内で固定される、
ことを特徴とする歯科用ハンドピース。
【請求項２】
ジャケットの係止溝は、前記ジャケット周面の前記ケーシング後部の内部空間に臨む位置に形成された溝と、前記ジャケットの周面にさらに筒形形状の外装ジャケットが被着固定され、この外装ジャケットの前記ジャケットの前記溝に対応する位置に前記溝を取り囲み形成された切り欠きとにより構成され、係止棒は、前記ケーシング後部内に第１の回転軸と略平行にケーシング前部に向けて進退可能に設置され、前記ケーシング後部内で前記係止棒の進退方向の動きを規制する係止固定手段により固定される請求項１に記載の歯科用ハンドピース。
【請求項３】
ジャケットの溝と係止棒の先端は相互に嵌合可能に形成され、外装ジャケットの切り欠きは前記切り欠きの上部側が前記係止棒の周面で接触可能に形成される請求項２に記載の歯科用ハンドピース。
【請求項４】
係止棒の係止固定手段は、前記係止棒の周面に形成されたねじ部と、ケーシング後部内に設置され、前記係止棒を挿通し、前記ねじ部に螺合するナットとにより構成される請求項２又は３に記載の歯科用ハンドピース。
【請求項５】
係止棒の後端に締め込み工具が係合可能な工具係合部を有する請求項１乃至４のいずれかに記載の歯科用ハンドピース。
【請求項６】
ジャケットの係止溝は、前記ジャケット周面のケーシング後部の内部空間に臨む位置に嵌め込み固定されるリング形状部材又は筒形形状部材に溝が形成されて構成され、係止棒は、前記ケーシング後部内に第１の回転軸と略平行にケーシング前部に向けて進退可能に設置され、前記ケーシング後部内で前記係止棒の進退方向の動きを規制する係止固定手段により固定される請求項１に記載の歯科用ハンドピース。
【請求項７】
リング形状部材又は筒形形状部材の内周に弾性を有する複数のボールを保持し、これらのボールをジャケットの軸芯方向に押圧可能な複数のボール用溝を有し、前記リング形状部材又は筒形形状部材は前記ジャケットに前記複数のボールを介して嵌め込み固定される請求項６に記載の歯科用ハンドピース。
【請求項８】
ケーシング後部の内周にスリーブが設けられ、このスリーブとリング形状部材又は筒形形状部材との間に、当該リング形状部材又は筒形形状部材をヘッド部の方向に押圧するばね部材を備える請求項６又は７に記載の歯科用ハンドピース。
【請求項９】
係止棒の係止固定手段は、前記係止棒の周面に形成されたねじ部と、スリーブの周面に設けられ、前記係止棒を挿通案内して前記ねじ部に螺合するナットとにより構成される請求項６乃至８のいずれかに記載の歯科用ハンドピース。
【発明の詳細な説明】
【技術分野】
【０００１】
本発明は、歯科用ハンドピース、特にコントラアングルの歯科用ハンドピースに関する。
【背景技術】
【０００２】
従来の歯科用ハンドピースは、例えば特許文献１に記載されている。この文献１の歯科用ハンドピースは、図９に示すように、治療工具４１が着脱可能に取り付けられるヘッド部４２を有する把持部４３と、この把持部４３に連結されるモータケース（駆動部）５０とを備える。この歯科用ハンドピースはコントラアングルのハンドピースで、把持部ケーシング４４はケーシング前部４４Ｆがケーシング後部４４Ｒに対して鈍角の斜めに連接される。ケーシング後部４４Ｒ内に第１の回転軸４５が回転可能に支持され、ケーシング前部４４Ｆ内にはヘッド部４２から延びる筒形形状のジャケット４６が第１の回転軸４５に向けて挿着、固定され、このジャケット４６内に治療工具４１に作動連結された第２の回転軸４７が回転可能に支持されて、第１の回転軸４５に歯車４８、４９を介して連結される。このようにしてモータ（モータ軸５１）の駆動力を第１、第２の回転軸４５、４７によりヘッド部４２に伝達し、治療工具４１を駆動する形式になっている。
【特許文献１】特開２００５−３４２４０３公報
【発明の開示】
【発明が解決しようとする課題】
【０００３】
しかしながら、従来のこの種の歯科用ハンドピースでは、ケーシング前部内に挿着されたジャケットが、ケーシング前部の外周面に設けられたねじ穴からねじが締め込まれて、ケーシング前部に固定される（この点については、例えば、特公平７−５１１３６号公報の図４を参照されたい。）ため、このようなねじ止め方式では、ハンドピースを使用しているうちに、ねじが緩み、ねじが緩むことでヘッド部の振動が大きくなり、操作性が悪くなって、術者が治療し難くなるという問題がある。また、この種のハンドピースはケーシングの良好なデザインにより、優れた外観を有しているものの、ケーシングの外周面にねじが露出するために、このねじでハンドピースの見栄えが損なわれているという問題もある。
【０００４】
本発明は、このような従来の問題を解決するもので、この種の歯科用ハンドピースにおいて、ケーシング（前部）内に挿着されたジャケットをケーシング内部でねじ止めに代わる確実な手段により固定して、歯科用ハンドピースの耐久性と見栄えの向上を図ること、を目的とする。
【課題を解決するための手段】
【０００５】
上記目的を達成するために、本発明の歯科用ハンドピースは、治療工具が着脱可能に取り付けられるヘッド部を有する把持部と、前記把持部に連結される駆動部とを備え、前記把持部は、ケーシング後部とこのケーシング後部に対して斜めに連接されるケーシング前部とを有し、前記ケーシング後部内に第１の回転軸が回転可能に支持されるとともに、前記ケーシング前部内に前記ヘッド部から延びる筒形形状のジャケットが前記第１の回転軸に向けて挿着、固定され、このジャケット内に前記治療工具に作動連結された第２の回転軸が回転可能に支持されて、前記第１の回転軸に歯車を介して連結され、前記駆動部の駆動力を前記第１、第２の回転軸により前記ヘッド部に伝達し、前記治療工具を駆動する形式の歯科用ハンドピースにおいて、前記ジャケットの周面に係止溝が形成され、前記ケーシング後部内に前記ケーシング前部に向けて進退可能に設置され、前記ジャケットの係止溝に係脱可能な係止棒を備え、前記ケーシング前部内に挿着された前記ジャケットは、前記ジャケット周面の係止溝と前記ケーシング後部内の係止棒との係合により、前記ケーシング内で固定される、ことを要旨とする。
【０００６】
この場合、ジャケットの係止溝は、前記ジャケット周面の前記ケーシング後部の内部空間に臨む位置に形成された溝と、前記ジャケットの周面にさらに筒形形状の外装ジャケットが被着固定され、この外装ジャケットの前記ジャケットの前記溝に対応する位置に前記溝を取り囲み形成された切り欠きとにより構成され、係止棒は、前記ケーシング後部内に第１の回転軸と略平行にケーシング前部に向けて進退可能に設置され、前記ケーシング後部内で前記係止棒の進退方向の動きを規制する係止固定手段により固定されることが好ましい。そして、ジャケットの溝と係止棒の先端は相互に嵌合可能に形成され、外装ジャケットの切り欠きは前記切り欠きの上部側が前記係止棒の周面で接触可能に形成されることが好ましい。また、係止棒の係止固定手段は、前記係止棒の周面に形成されたねじ部と、ケーシング後部内に設置され、前記係止棒を挿通し、前記ねじ部に螺合するナットとにより構成されることが好ましい。さらに、係止棒の後端に締め込み工具が係合可能な工具係合部を有することが好ましい。
【０００７】
また、この場合、ジャケットの係止溝は、前記ジャケット周面のケーシング後部の内部空間に臨む位置に嵌め込み固定されるリング形状部材又は筒形形状部材に溝が形成されて構成され、係止棒は、前記ケーシング後部内に第１の回転軸と略平行にケーシング前部に向けて進退可能に設置され、前記ケーシング後部内で前記係止棒の進退方向の動きを規制する係止固定手段により固定されるようにしてもよい。そして、リング形状部材又は筒形形状部材の内周に弾性を有する複数のボールを保持し、これらのボールをジャケットの軸芯方向に押圧可能な複数のボール用溝を有し、前記リング形状部材又は筒形形状部材は前記ジャケットに前記複数のボールを介して嵌め込み固定されることが好ましい。さらに、ケーシング後部の内周にスリーブが設けられ、このスリーブとリング形状部材又は筒形形状部材との間に、当該リング形状部材又は筒形形状部材をヘッド部の方向に押圧するばね部材を備えることが好ましい。また、係止棒の係止固定手段は、前記係止棒の周面に形成されたねじ部と、スリーブの周面に設けられ、前記係止棒を挿通案内して、前記ねじ部に螺合するナットとにより構成されることが好ましい。
【発明の効果】
【０００８】
本発明の歯科用ハンドピースは、上記の構成により、ケーシング（前部）内に挿着されたジャケットをケーシング内部で、ねじ止めに代わる確実な手段で固定して、歯科用ハンドピースの耐久性と見栄えの向上を図ることができる。
【発明を実施するための最良の形態】
【０００９】
以下、本発明の一実施の形態について図を用いて説明する。図１に歯科用ハンドピースの、特にヘッド部と把持部を示している。図１に示すように、ヘッド部７は回転軸７２を備え、この回転軸７２に治療工具（図４参照）が着脱可能に取り付けられるようになっている。このヘッド部７の外周面には、開口７０が形成され、開口７０の周囲にスリーブ７１が突設されて、このスリーブ７１に筒形形状のジャケット８が連結固定される。このジャケット８内には、ヘッド部７内の回転軸７２に作動連結された第２の回転軸９がベアリング１０を介して回転可能に支持される。把持部１のケーシング２は筒形構造に形成され、この場合、ケーシング前部２Ｆがケーシング後部２Ｒに対して鈍角の斜めに連接される。ケーシング後部２Ｒ内には、第１の回転軸３がベアリング４を介して回転可能に支持され、第１の回転軸３の後端部にモータケース（駆動部）のモータ軸（図４参照）に係合可能な連結部３０が設けられ、第１の回転軸３の前端部に第２の回転軸９に係合可能な歯車５、６が設けられる。ケーシング前部２Ｆ内にはヘッド部７の外周面から延びるジャケット８が第１の回転軸３に向けて挿着され、このジャケット８内の第２の回転軸９が第１の回転軸３に歯車５、６を介して連結される。なお、この場合、第１の回転軸３の歯車５の回転に内接した歯車６に第２の回転軸９が噛合され、第２の回転軸９が第１の回転軸３の回転数よりも大きい回転数で回転する。このようにしてモータ（軸）の駆動力を第１、第２の回転軸３、９によりヘッド部７に伝達し、治療工具を駆動する形式になっている。なお、このハンドピースの場合、チップエアパイプ２１、水パイプ２２、及び光ファイバ２３は、把持部１のケーシング２の軸方向に沿って肉厚内に設けた外装溝２０に配置される。
【００１０】
このハンドピースでは、ケーシング前部２Ｆ内に挿着されたジャケット８が、ケーシング２Ｆ内部で、従来のねじ止めに代わる係止機構１１により固定される。この係止機構１１は、ジャケット８の周面に形成された係止溝１２と、ケーシング後部２Ｒ内に設置され、ジャケット８の係止溝１２に係脱可能な係止手段１６とを備え、ジャケット８は、これら係止溝１２と係止手段１６との係合により、ケーシング２内で固定される。
【００１１】
図２にこの係止機構１１の構成を示している。図２に示すように、この係止機構１１の場合、ジャケット８の係止溝１２は、ジャケット８の周面に形成された溝１３と、ジャケット８の周面にさらに筒形形状の外装ジャケット１４が被着固定され、この外装ジャケット１４のジャケット８の溝１３に対応する位置に形成された切り欠き１５とにより構成される。ジャケット８の溝１３はケーシング前部２Ｆに挿着されたジャケット８の周面の、ケーシング後部２Ｒの内部空間に臨む位置の一部に、ケーシング後部２Ｒの回転軸線方向に向けて斜めに形成される。この場合、溝１３は周方向に形成され、後述する係止手段１６をなす係止棒１７の先端面が衝接可能な傾斜面１３１と係止棒１７の先端側外周面の特に下部側の面が接触可能な傾斜面１３２とを有し、係止棒１７の先端部分が嵌合可能に形成される。外装ジャケット１４の切り欠き１５はジャケット８の溝１３に対応する位置に、当該溝１３を取り囲む筒状に、ケーシング後部２Ｒの回転軸線方向に向けて斜めに形成される。この場合、切り欠き１５は、係止手段１６をなす係止棒１７の先端側外周面が当該切り欠き１５を上方に少し押し上げ可能に、切り欠き１５の略上半部が係止棒１７の先端側外周面（上側を向く面）に接触可能に形成され、また、切り欠き１５の略下半部が係止棒１７の先端側外周面（下側を向く面）に非接触に、ジャケット８の溝の傾斜面１３２に対して少し下がった位置まで拡開されて形成される。一方、係止手段１６は、図１に示すように、ケーシング後部２Ｒ内に設置される係止棒１７と、この係止棒１７をケーシング後部２Ｒ内で固定するための係止固定手段１８とを備える。係止棒１７は細長い円柱形状の棒材で、図２に示すように、先端（外周面）は少しテーパ形状１７１に形成されて、ジャケット８の溝１３に嵌合可能に形成され、中間（外周面）の所定の位置にねじ部１７２が形成され、後端（面）には締め込み工具が係合可能な工具係合部１７３、この場合、ドライバー用のすり割りが形成される。係止固定手段１８は、図１に示すように、係止棒１７の周面中間の位置に形成されたねじ部１７２と、ケーシング後部２Ｒ内に設置され、係止棒１７を挿通し、係止棒１７のねじ部１７２に螺合するナット１９とにより構成される。この場合、ナット１９はケーシング後部２Ｒ内で第１の回転軸３前端の歯車５、６に近接するベアリング４の外側にナット軸方向を第１の回転軸３方向に向けて設置される。このようにして係止棒１７はケーシング後部２Ｒ内にナット１９を通して、第１の回転軸３と略平行に、ケーシング前部２Ｆに向けて進退可能に設置される。そして係止棒１７の先端がケーシング前部２Ｆ内の外装ジャケット１４の切り欠き１５を通して、ジャケット８の溝１３に係止され、この係止状態が、係止棒１７のねじ部１７２とナット１９との螺合により、係止棒１７の進退方向の動きを規制されて、固定される。
【００１２】
このようにして、図３に示すように、ヘッド部７に設けられたジャケット８がケーシング前部２Ｆ内に挿着されて、このジャケット８内の第２の回転軸９がケーシング後部２Ｒ内に支持された第１の回転軸３に歯車５、６を介して連結され、この状態から、ケーシング後部２Ｒ内の、ナット１９を通して、第１の回転軸３と略平行に設置された係止棒１７を、後端のすり割り１７３に工具のドライバー３１を合わせて締め込むことにより、係止棒１７の先端が外装ジャケット１４の切り欠き１５を通して、外装ジャケット１４を係止棒１７の外周面で上方に少し押し上げながら、ジャケット８の溝１３に係合し、これがジャケット８の溝１３に対して楔となり、係止棒１７がつっかえ棒として作用して、ジャケット８を図３中下方に向けて抑え込み、抜け止めする。同時に、この係止棒１７の先端側外周面が外装ジャケット１４を上方に少し押し上げることにより、係止棒１７の、ジャケット８を下方に向けて抑え込むジャケット８に対する過度の加圧力を調整して、ジャケット８をケーシング後部２Ｒ内の定位置（つまり、ジャケット８がケーシング前部２Ｆ内で他の各部に干渉しない位置）に保持する。
【００１３】
以上説明したように、ジャケット８の周面上に係止溝１２を形成し、ケーシング後部２Ｒ内にジャケット８の係止溝１２に係脱可能な係止手段１６を設けて、ケーシング前部２Ｆ内に挿着されたジャケット８を、ジャケット８周面の係止溝１２とケーシング後部２Ｒ内の係止手段１６との係合により、ケーシング前部２Ｆ内で固定するので、ジャケット８を従来のねじ止めに代わる確実な手段で固定して、歯科用ハンドピースの耐久性と見栄えの向上を図ることができる。
【００１４】
そして、ジャケット８の係止溝１２を、ジャケット８の周面の、ケーシング後部２Ｒの内部空間に臨む位置に形成された溝１３と、ジャケット８の周面に被着された外装ジャケット１４のジャケット８の溝１３に対応する位置に形成された切り欠き１５とにより形成し、係止手段１６を、ケーシング後部２Ｒ内に第１の回転軸３と略平行に、かつケーシング前部２Ｆに向けて進退可能に設置された係止棒１７と、係止棒１７を固定する係止固定手段１８とにより構成したので、ジャケット８を固定する従来のねじ止めに代わる確実な手段を簡易に実現することができる。また、ジャケット８の溝１３と係止棒１７の先端を相互に嵌合可能に形成し、外装ジャケット１４の切り欠き１５を、この切り欠き１５の上部側を係止棒１７の周面で接触可能に形成したので、係止棒１７の先端を外装ジャケット１４の切り欠き１５を通し、ジャケット８の溝１３に係止して、この係止棒１７でジャケット８を抑え込み、抜け止めすることができ、さらに、係止棒１７の外周面で外装ジャケット１４を上方に少し押し上げて、ジャケット８をケーシング後部２Ｒ内の定位置に確実に保持することができる。さらに、係止棒１７の係止固定手段１８を、係止棒１７の周面に形成したねじ部１７２と、ケーシング後部２Ｒ内に設置したナット１９とにより構成するので、係止棒１７の係止固定手段１８を簡易な構造で実現することができる。さらに、係止棒１７の後端に締め込み工具、この実施の形態ではドライバー３１を係合可能な工具係合部（すり割り）１７３を設けたので、係止棒１７のジャケット８の係止溝１２に対する係脱操作をドライバー３１その他の工具で簡易に行うことができ、把持部１のケーシング２からヘッド部７を容易に着脱することができる。
【００１５】
なお、この実施の形態では、ジャケット８の係止溝１２を、ジャケット８の溝１３と、外装ジャケット１４の切り欠き１５とにより構成したが、ジャケット８の周囲に外装ジャケット１４を被着することなく、ジャケット８の周面の溝のみで形成しても勿論かまわない。この場合、ジャケット８の溝の形状に、又は他の手段を付加して、既述の外装ジャケット１４の切り欠き１５と同様の作用を持たせることが望ましい。また、上記実施の形態では、係止手段１６に係止棒１７と係止固定手段１８を採用したが、これら係止棒１７と係止固定手段１８と同様の機能部品であれば、他の手段に適宜変更できることは言うまでもない。
【００１６】
図４にまた別の係止機構１１の構成を示している。図４に示すように、この係止機構１１の場合、ジャケット８の係止溝１２は、ジャケット８の周面に嵌め込み固定されるベースリング１１２に溝１２２が形成されて構成される。図５及び図６に示すように、ベースリング１１２はジャケット８の周面の、ケーシング後部２Ｒの内部空間に臨む所定の位置に嵌合可能に、リング形状に形成される。この場合、ベースリング１１２は内径がジャケット８の周面、所定の位置の外径よりも少し大きく形成され、また、前端面１１３の外径が後端面１１４の外径よりも少し小さく形成されて、外周面１１５の前端面１１３側の半面がテーパ状に形成される。また、図７に示すように、このベースリング１１２の内周面１１６には、前端に、内周方向に等間隔に、ゴムなどの弾性材料からなる複数のボール（１１９）を収容保持するための複数のボール用溝１１７が形成される。この場合、これらのボール用溝１１７はベースリング１１２の内周面１１６の前端上部（中央）とその両側に６０°間隔で２箇所、合計３箇所に前端面１１３から軸芯方向に切り欠かれ、その奥の面１１８は、図８に示すように、ジャケット８上の所定の位置に嵌め込み固定されたこのベースリング１１２のヘッド部７方向への押圧に対してこれらのボール用溝１１７に保持されたボール１１９をジャケット８の軸芯方向に向けて押圧可能に斜めに形成される。さらに、図７に示すように、このベースリング１１２の後端面１１４には、左右両側に１８０°の間隔でコイルスプリング（１２１）を挿着可能なばね用溝１２０が穿たれる。このようなベースリング１１２の外周面１１５に、溝１２２が形成される。この溝１２２は外周面１１５の後端面１１４側の上部中央に後端面１１４から軸芯方向に後述する係止手段１２４の係止棒１２５の先端が嵌合可能に切り欠かれ、その奥の面１２３は係止棒１２５が衝接して、ベースリング１１２をヘッド部７の方向に押圧可能に、軸芯方向に対して適宜の角度（例えば９０度）に形成される。このようにして、図５及び図６に示すように、ベースリング１１２は３箇所のボール用溝１１７にそれぞれ、弾性を有するボール１１９が収容保持され、ケーシング前部２Ｆに挿着されたジャケット８の周面の（ケーシング後部２Ｒの内部空間に臨む）所定の位置に複数のボール１１９を介して嵌め込み固定される。そして、ベースリング後端面１１４の各ばね用溝１２０にコイルスプリング１２１が挿着されて、後端面１１４から後方に突出される。一方、係止手段１２４は、図４に示すように、ケーシング後部２Ｒ内に設置される係止棒１２５と、この係止棒１２５をケーシング後部２Ｒ内で固定するための係止固定手段１２７とを備える。図５及び図６に示すように、係止棒１２５は細長い円柱形状の棒材で、先端（外周面）がベースリング１１２の溝１２２に嵌合可能に形成され、（外周面の）中間所定の位置にねじ部１２６が形成され、後端（面）に締め込み工具が係合可能な工具係合部、この場合、ドライバー用のすり割りが形成される（図示省略）。係止固定手段１２７は、係止棒１２５の外周面中間の位置に形成されたねじ部１２６と、ケーシング後部２Ｒの内周に設けられた、スリーブ１２８の周面に形成さ��、係止棒１２５を挿通し、係止棒１２５のねじ部１２６に螺合するナット１３４とにより構成される。この場合、スリーブ１２８はケーシング後部２Ｒ内に嵌合可能な筒形に、かつ前端面１２９がケーシング前部２Ｆ内でベースリング１１２の後端面１１４に対向可能に斜めに形成され、外周面１３０の、後端部と前後方向中間部の少なくとも上部に突状の段部１３１、１３２が形成されて、後端部の段部１３１に、係止棒１２５をジャケット８の係止溝１２（ベースリング１１２の溝１２２）に向けて挿通案内する挿通案内部１３３が形成され、前後方向中間部の段部１３２に、係止棒１２５を同方向に挿通案内して係止棒１２５のねじ部１２６に螺合するナット１３４が形成される。図４に示すように、このスリーブ１２８は内部にベアリング４が設置されて、ケーシング後部２Ｒ内にケーシング前部２Ｆのベースリング１１２に近接して挿着され、内部のベアリング４を介して第１の回転軸３が回転可能に支持される。そして、このスリーブ１２８とベースリング１１２との間で、ベースリング１１２の後端面１１４から突出されるコイルスプリング１２１が圧縮され、このコイルスプリング１２１によりベースリング１１２がヘッド部７の方向に均一に押圧された状態を得る。このようにして係止棒１２５はケーシング後部２Ｒ内でスリーブ１２８周面の挿通案内部１３３とナット１３４を通して、第１の回転軸３と略平行に、ケーシング前部２Ｆに向けて進退可能に設置される。そして係止棒１２５の先端がケーシング前部２Ｆ内のベースリング１１２の溝１２２に係止され、この係止状態が、係止棒１２５のねじ部１２６とナット１３４との螺合により、係止棒１２５の進退方向の動きを規制されて、固定される。
【００１７】
このようにして、図４に示すように、ヘッド部７に設けられたジャケット８がケーシング前部２Ｆ内に挿着されて、このジャケット８内の第２の回転軸９がケーシング後部２Ｒ内に支持された第１の回転軸３に歯車５、６を介して連結され、この状態から、ケーシング後部２Ｒ内のスリーブ１２８の外周面１３０に設けられた挿通案内部１３３とナット１３４に通された係止棒１２５を、後端のすり割りに工具のドライバーを合わせて締め込むことにより、係止棒１２５の先端がベースリング１１２の溝１２２に係合した状態からベースリング１１２を回転軸芯方向に沿ってヘッド部７に向けて押圧するとともに、この係止棒１２５による押圧に対してベースリング内周面１１６の各ボール用溝１１７の奥の面１１８がこのボール用溝１１７内に保持されたボール１１９をジャケット８の軸芯方向に向けて押圧する。これにより、係止棒１２５がつっかえ棒として作用し、ジャケット８を位置決めして抑え込み、抜け止めすると同時に、ベースリング１１２がボール１１９を介してジャケット８に締め付けられることで、ジャケット８に（軸芯の上下及び左右方向に）生じる振動を確実に抑制する。そして、この状態は、スリーブ１２８とベースリング１１２との間に配置され圧縮されたコイルスプリング１２１により、ベースリング１１２がヘッド部６の方向に均一に押圧されることで、さらに良好に、より確実に保持される。
【００１８】
このようにしても、前記実施の形態と同様に、ジャケット８を従来のねじ止めに代わる確実な手段で固定して、歯科用ハンドピースの耐久性と見栄えの向上を図ることができる。
【００１９】
そして、この場合、ジャケット８の係止溝１２を、ジャケット８周面の、ケーシング後部２Ｒの内部空間に臨む所定の位置に嵌め込み固定するベースリング１１２に溝１２２を形成して構成し、係止手段１２４に係止棒１２５を用い、この係止棒１２５の周面にねじ部１２６を設けるとともに、ケーシング後部２Ｒの内周に設けたスリーブ１２８の周面に係止棒１２５のための挿通案内部１３３とナット１３４を形成し、係止棒１２５をスリーブ１２８の挿通案内部１３１に通し、係止棒１２５のねじ部１２６とナット１３４を螺合させることにより、この係止棒１２５を第１の回転軸３と略平行にケーシング前部２Ｆに向けて進退可能に設置して、（係止棒１２５の）先端をベースリング１１２の溝１２２に係合させるようにしたので、ジャケット８を固定する従来のねじ止めに代わる確実な手段を簡易に実現することができる。また、このベースリング１１２の場合、ジャケット８に複数のボール１１９を介して嵌め込み固定し、係止棒１２５でベースリング１１２を回転軸芯方向に沿いヘッド部７に向けて押圧するとともに、この係止棒１２５による押圧に対してベースリング１１２内周の各ボール１１９をジャケット８の軸芯方向に向けて押圧するので、係止棒１２５がつっかえ棒として作用し、ジャケット８を位置決めして確実に抑え込み、抜け止めすることができるとともに、ジャケット８に生じる振動を確実に抑制することができる。しかも、スリーブ１２８とベースリング１１２との間にさらにコイルスプリング１２１を介在して、ベースリング１１２をヘッド部７の方向に均一に押圧するので、ジャケット８の抜け止め作用と振動の抑制効果をより一層向上させることができる。
【００２０】
なお、この実施の形態では、ジャケット８の係止溝１２をリング形状のベースリング１１２の周面に溝１２２を形成して構成したが、このリング形状部材に代えて筒形形状部材を採用してもよく、筒形形状部材に概ね上記と同様の構成を備えることで、上記と同様の作用効果を奏することができる。
【図面の簡単な説明】
【００２１】
【図１】本発明の一実施の形態における歯科用ハンドピースの、特にヘッド部と把持部を示す断面図
【図２】同ハンドピースに採用された、ケーシング前部内に挿着されたジャケットをケーシング内部で固定する係止機構を示す分解断面図
【図３】同ハンドピースに採用された係止機構により、ケーシング前部内に挿着されたジャケットがケーシング内部で固定される状態を示す断面図
【図４】本発明の別の実施の形態における歯科用ハンドピースの、特にヘッド部と把持部を示す断面図
【図５】同ハンドピースに採用された、ケーシング前部内に挿着されたジャケットをケーシング内部で固定する係止機構を示す平面図
【図６】同係止機構の側面図
【図７】（ａ）同係止機構の特にベースリングを示す前端面図（ｂ）同上面図（ｃ）同側面断面図（ｄ）同後端面図
【図８】ベースリングの作用を示す説明図
【図９】従来の歯科用ハンドピースを示す断面図
【符号の説明】
【００２２】
１  把持部
２  ケーシング
２Ｆ  ケーシング前部
２Ｒ  ケーシング後部
３  第１の回転軸
３０  連結部
４  ベアリング
５、６  歯車
７  ヘッド部
７０  開口
７１  スリーブ
７２  回転軸
８  ジャケット
９  第２の回転軸
１０  ベアリング
１１  係止機構
１２  係止溝
１３  溝
１３１  傾斜面
１３２  傾斜面
１４  外装ジャケット
１５  切り欠き
１６  係止手段
１７  係止棒
１７１  テーパ形状
１７２  ねじ部
１７３  工具係合部（すり割り）
１８  係止固定手段
１９  ナット
２０  外装溝
２１  チップエアパイプ
２２  水パイプ
２３  光ファイバ
３１  ドライバー
１１２  ベースリング（リング形状部材）
１１３  前端面
１１４  後端面
１１５  外周面
１１６  内周面
１１７  ボール用溝
１１８  奥の面
１１９  ボール
１２０  ばね用溝
１２１  コイルスプリング
１２２  溝
１２３  奥の面
１２４  係止手段
１２５  係止棒
１２６  ねじ部
１２７  係止固定手段
１２８  スリーブ
１２９  前端面
１３０  外周面
１３１、１３２  突状の段部
１３３  挿通案内部
１３４  ナット
【図１】
0005231086.tif 000002
【図２】
0005231086.tif 000003
【図３】
0005231086.tif 000004
【図４】
0005231086.tif 000005
【図５】
0005231086.tif 000006
【図６】
0005231086.tif 000007
【図７】
0005231086.tif 000008
【図８】
0005231086.tif 000009
【図９】
0005231086.tif 000010